(57)【要約】【課題】球貸ボタンが誤操作されるのを防止することができるようにしたパチンコ機を提供することである。【解決手段】中枠３に対して一側部を中心に開閉自在に支持された前面枠４の下側に中枠３に支持された下皿ユニット７を設ける。下皿ユニット７における下皿９の周壁１８上面に上方から下方に向けて押込み操作される球貸ボタン２５を設ける。その球貸ボタン２５の取付け位置を中枠３に設けられた上皿６の下面と近接する部位とし、遊技盤上での球詰りの等のトラブルの解消のために前面枠４がホールの作業員によって開放され、その時、万一、球貸ボタン２５に指先Ｆが添えられている場合に、その指先Ｆが上皿６で払い退けるようにして、球貸ボタン２５が誤って押込み操作されるのを防止することができる。【選択図】図５
2011224303.tif 000002
【特許請求の範囲】
【請求項１】
矩形状の外枠と、その外枠の前側に配置された中枠と、その中枠の前側に設けられた前面枠と、その前面枠の前面下部に設けられた上皿と、前記中枠の前面下部に取付けられる下皿基板に前記上皿の下方に配置される下皿が設けられた下皿ユニットとを有し、前記中枠の一側部に設けられた縦軸を中心にして上皿を開閉自在としたパチンコ機において、
前記下皿ユニットに遊技球の貸し出し用の球貸ボタンを上下方向に押込み操作可能に支持し、その球貸ボタンを、上皿またはその上皿を支持する支持板の下面前側縁に近接して、押込み操作する指先が上皿またはその上皿を支持する支持板の開閉領域内に位置する配置としたことを特徴とするパチンコ機。
【発明の詳細な説明】
【技術分野】
【０００１】
この発明は、球貸ボタンの押込み操作によって遊技球の貸し出しが行なわれるようにしたパチンコ機に関する。
【背景技術】
【０００２】
プリペイドカードユニットに形成されたカード挿入口にプリペイドカードを挿入して遊技を行なうＣＲパチンコ機においては、遊技者と対向する前面に球貸ボタンおよびカード返却ボタンを有し、その球貸ボタンを押込み操作することにより、遊技球の貸し出しが行なわれ、カード返却ボタンを押し込むことによってプリペイドカードが返却されるようになっている。
【０００３】
球貸ボタンおよびカード返却ボタンを有する上記のようなパチンコ機においては、操作性および視認性を考慮し、球貸ボタンおよびカード返却ボタンのそれぞれをパチンコ機の前面下部に設けているのが一般的である。
【０００４】
例えば、特許文献１には、前面枠の前側に開閉可能なガラス収納枠と、その下側に開閉可能な上皿ユニットを設け、上記上皿ユニットの一側上部に球貸ボタンおよびカード返却ボタンを左右方向に間隔をおいて設けたパチンコ機が記載されている。
【０００５】
また、特許文献２には、外枠に対して開閉可能な一対の意匠枠を上下に配置して、それぞれの意匠枠を開閉自在に支持し、その下部意匠枠に上皿と下皿を設け、その下皿の上面に球貸ボタンおよびカード返却ボタンを設けたパチンコ機が記載されている。
【先行技術文献】
【特許文献】
【０００６】
【特許文献１】特開２００２−２２４３７７号公報
【特許文献２】特開２００９−１１６６１号公報
【発明の概要】
【発明が解決しようとする課題】
【０００７】
ところで、特許文献１に記載されたパチンコ機においては、球貸ボタンが前面側から後面側に向けての略水平方向への押込みであるため、操作性が悪く、また、球貸ボタンを押込み操作する指先が縦軸を中心にして開閉自在に支持されたガラス収納枠の開閉領域から外れているため、ガラス収納枠を開放して遊技領域内の釘間に挟まる遊技球を取り除く等のトラブルの解除の際に、万一、球貸ボタンに指先が添えられていると、開放されるガラス収納枠によって上記指先が球貸ボタン上から払い退けられることがなく、球貸ボタンが誤って押込み操作される可能性がある。
【０００８】
一方、特許文献２に記載されたパチンコ機においては、ガラス板等の透明な板体を保持する上部意匠枠の下縁と球貸ボタンとの間に比較的広い間隔があるため、この場合も特許文献１と同様に、上部意匠枠を開放して遊技領域内の釘間に挟まる遊技球を取り除く等のトラブルの解除の際に、万一、球貸ボタンに指先が添えられていると、開放されるガラス収納枠によって上記指先が球貸ボタン上から払い退けられることがなく、球貸ボタンが誤って押込み操作される可能性がある。
【０００９】
ここで、特開２００２−２１０２１２号公報に記載のパチンコ機においては、球貸ボタンが誤操作されるのを防止するため、球貸ボタンの前面を振り子状の板状部材やスライド部材で覆い、その板状部材やスライド部材を球貸ボタンの前面から退避させた状態でないと球貸ボタンを操作することができないようにしているが、遊技球の貸し出しが、板状部材やスライド部材の退避操作と球貸ボタンの押込みの２つの操作を必要とするため、操作性が悪く、また、球貸ボタンは常に板状部材やスライド部材で隠蔽された状態にあるため、球貸ボタンの位置の視認性も悪いという問題がある。
【００１０】
この発明の課題は、球貸ボタンが誤操作されるのを防止することができるようにしたパチンコ機を提供することである。
【課題を解決するための手段】
【００１１】
上記の課題を解決するために、この発明においては、矩形状の外枠と、その外枠の前側に配置された中枠と、その中枠の前側に設けられた前面枠と、その前面枠の前面下部に設けられた上皿と、前記中枠の前面下部に取付けられる下皿基板に前記上皿の下方に配置される下皿が設けられた下皿ユニットとを有し、前記中枠の一側部に設けられた縦軸を中心にして上皿を開閉自在としたパチンコ機において、前記下皿ユニットに遊技球の貸し出し用の球貸ボタンを上下方向に押込み操作可能に支持し、その球貸ボタンを、上皿またはその上皿を支持する支持板の下面前側縁に近接して、押込み操作する指先が上皿またはその上皿を支持する支持板の開閉領域内に位置する配置とした構成を採用したのである。
【００１２】
ここで、上皿は、前面枠の下部に設けられて、その前面枠と共に開閉可能とされていてもよく、あるいは、前面枠と別体とされて、中枠に開閉自在に支持された上皿基板に設けられたものであってもよい。上皿が前面枠に設けられている場合、支持板とは前面枠をいい、一方、上皿基板に上皿が設けられている場合、支持板とは上皿基板をいう。
【発明の効果】
【００１３】
この発明においては、上記のように、球貸ボタンを上下方向に向けて押込み操作可能に支持し、その球貸ボタンを上皿またはその上皿を支持する上皿支持板の下面前側縁と近接する部位に設けたことにより、上記球貸ボタンを押込み操作する指先は上皿または上皿支持板の開放領域に配置されることになる。このため、万一、球貸ボタンに指先が添えられている状態で上皿支持板が開放されると、その開放される上皿または上皿支持板によって上記指先が球貸ボタン上から払い退けられることになり、球貸ボタンが誤って押込み操作されるのを防止することができる。
【００１４】
また、球貸ボタンは、下皿ユニットの前面上部に露出しているため、ボタン位置の視認性もよく、しかも、上方から下方に向けての押込みであるため、操作性も良好である。
【図面の簡単な説明】
【００１５】
【図１】この発明に係るパチンコ機の実施の形態を示す正面図
【図２】図１に示すパチンコ機の斜視図
【図３】前面枠を開放した状態の斜視図
【図４】図３の底面図
【図５】図１の下皿部と上皿部を拡大して示す一部切欠側面図
【図６】図５のVI−VI線に沿った断面図
【発明を実施するための形態】
【００１６】
以下、この発明の実施の形態を図面に基づいて説明する。図１乃至図３に示すように、パチンコ機は、縦長な矩形状に枠組みされた外枠１を有し、その外枠１の一側上下部に一対のヒンジ２、２が設けられ、そのヒンジ２によって外枠１の前側に配置された中枠３の一側部が支持されている。
【００１７】
中枠３は、上下のヒンジ２の縦軸としてのヒンジピン２ａを中心にして開閉自在とされている。この中枠３には図示省略した遊技盤等のパチンコ機の主要構成部が支持される。
【００１８】
中枠３の前側には、前面枠４が設けられている。前面枠４は、透明板４ａおよびその透明板４ａの外周囲を覆う化粧縁枠４ｂを有し、その前面枠４の一側部が中枠３の一側上下部に設けられた図４に示すヒンジ５により支持されて、そのヒンジ５の縦軸としてのヒンジピン５ａを中心にして開閉自在とされ、閉鎖状態において中枠３の前面を覆うようになっている。
【００１９】
前面枠４の前側下部には、上皿６が設けられている。上皿６の下方には下皿ユニット７が設けられている。下皿ユニット７は、左右方向の幅寸法が中枠３の左右方向に幅寸法より少し小さな下皿基板８に下皿９を設けた構成とされ、上記下皿基板８が中枠３の前側下部に取付けられて、下皿９が上皿６の下方に配置されている。
【００２０】
下皿基板８の右側部には発射ハンドル１０が取付けられ、その発射ハンドル１０に設けられた発射レバー１１を回動操作することにより、上皿６に貯留されている遊技球が図示省略した球送り機構を介して発射装置に送り込まれた後、中枠３に支持された図示省略の遊技盤の遊技領域内に発射されるようになっている。
【００２１】
図１に示すように、上皿６の左右両側部には下方に延びる延出部１２ａ、１２ｂが設けられている。図５に示すように、その左側延出部１２ａの前側は後方に向けて下り勾配をもって傾斜する湾曲面１３とされ、その湾曲面１３の下端から後方に延びる下面１４は略水平な平坦面とされている。
【００２２】
一方、右側延出部１２ｂの前面１５は、図２に示すように、略垂直な面とされ、その前面１５の下端から後方の向けて延びる下面１６は、左側延出部１２ａの下面１４と同一面を形成する平坦面とされている。
【００２３】
図１、図２および図５に示すように、下皿９は、下皿基板８の前面から前側に張り出す底板１７の外周に周壁１８を設けた構成とされている。周壁１８の左右両端部には上方に膨出する膨出部１８ａ、１８ｂが設けられ、その左側膨出部１８ａの上側には、上皿６の左側延出部１２ａの湾曲面１３に滑らかに連続する湾曲面１９と、その湾曲面１９の上端から後方に向けて延びて、上記左側延出部１２ａの下面１４と微小な間隔をおいて平行する平坦な上面２０が設けられている。
【００２４】
一方、右側膨出部１８ｂの前面２１は、上皿６の右側延出部１２ｂの前面１５と略同一面を形成し、その前面２１の上側から後方に延びる上面２２は、右側延出部１２ｂの下面１６と微小な間隔をおいて平行する平坦な面とされている。
【００２５】
図５および図６に示すように、下皿９の左側膨出部１８ａの湾曲面１９には、上皿６の左側延出部１２ａの下面１４の前側縁と近接する部位に上下方向に向く２つのボタン挿入孔２３、２４が左右方向に間隔をおいて形成され、その一方のボタン挿入孔２３に球貸ボタン２５が挿入され、他方のボタン挿入孔２４にカード返却ボタン２６が挿入されている。
【００２６】
球貸ボタン２５は、上方からの押込みによって下方に向けて移動する押込み操作可能な支持とされ、その下方に設けられたリターンスプリング２７により上方に向けて付勢されて、上側の操作面２５ａがボタン挿入孔２３の上側開口から上方に位置する状態で上方に抜け出るのが防止されるようになっている。一方、カード返却ボタン２６も球貸ボタン２５と同様の支持とされているため、詳細を省略している。
【００２７】
実施の形態では、球貸ボタン２５およびカード返却ボタン２６のそれぞれを斜め下方に向けて移動可能な支持としているが、略垂直の方向に移動可能な支持としてもよい。
【００２８】
ここで、パチンコ機の一側には、図１に示すようにプリペイドカードユニットＵが設けられる。そのプリペイドカードユニットＵに形成されたカード挿入口ａにプリペイドカードを挿入する状態で球貸ボタン２５を押し込むと、スイッチが入り、上皿６に所定量の遊技球が貸し出されるようになっている。一方、カード返却ボタン２６を押し込むと、カード挿入口ａからプリペイドカードが返却されるようになっている。
【００２９】
上記のように、球貸ボタン２５を下皿９の左側膨出部１８ａの湾曲面１９の上部に設けることによって、遊技者から球貸ボタン２５の位置を容易に確認することができ、しかも、その球貸ボタン２５を上方から下方に向けての押込みにより下方に向けて移動する押込み操作な可能な支持としたことによって、球貸ボタン２５をスムーズに押込み操作することができる。
【００３０】
また、球貸ボタン２５を上皿６の左側延出部１２ａの下面１４の前側縁と近接する部位に設けることによって、図５に示すように、球貸ボタン２５を操作する指先Ｆは前面枠４の開放時に、その前面枠４に設けられた上皿６の開閉領域に配置されることになる。図５のａは、上皿６の開閉領域を示す。
【００３１】
このため、遊技盤上での球詰りの等のトラブルの解消のために、図４に示すように、前面枠４がホールの作業員によって開放され、その時、万一、球貸ボタン２５に指先Ｆが添えられていると、指先Ｆは、図５および図６の鎖線イで示す前面枠４の開放初期に、上皿６の左側延出部１２ａの下端部でもって図５のＡ位置からＡ’位置に払い退けられることになり、球貸ボタン２５が誤って押込み操作されるのを防止することができる。
【００３２】
実施の形態では、下皿９の左側膨出部１８ａの上部に、球貸ボタン２５を設けるようにしたが、ボタン位置は左側膨出部１８ａの上部に限定されるものではない。例えば、球貸ボタン２５を右側膨出部１８ｂの前面２１の上部に設けるようにしてもよく、あるいは、下皿基板８の前面上部に設けるようにしてもよい。いずれの場合も、前面枠４の下面前側縁に近接する部位に設けるようにして、前面枠４の開放時に、その前面枠４や、前面枠４に支持された上皿６で払い退けられるようにする。
【００３３】
また、実施の形態では、前面枠４に上皿６を設けて、その上皿６を前面枠４と共に開閉可能としたパチンコ機を例にとって説明したが、パチンコ機はこれに限定されるものではない。例えば、前面枠４と別体とされた上皿基板を中枠に開閉自在に設け、その上皿基板の上皿を設けたパチンコ機であってもよい。この場合、下皿や下皿基板に支持される球貸ボタンは、上皿あるいは上皿基板の下面前側縁と近接する部位に設けるようにして、上皿基板の開放時に、その上皿基板や上皿で球貸ボタンに添えられた指先が払い退けられるようにする。
【符号の説明】
【００３４】
１・・・外枠、３・・・中枠、４・・・前面枠、６・・・上皿、７・・・下皿ユニット、９・・・下皿、２５・・・球貸ボタン
【図１】
2011224303.tif 000003
【図２】
2011224303.tif 000004
【図３】
2011224303.tif 000005
【図４】
2011224303.tif 000006
【図５】
2011224303.tif 000007
【図６】
2011224303.tif 000008